(57)【要約】【課題】手持ち式電気器具の付属品及びそのような付属品を含む電気器具を提供する。【解決手段】開示するのは、ハンドルと、流体出口及び主流体出口を含む本体と、流体入口から流体出口まで延びる流体流路及び主流体入口から主流体出口まで延びる主流体流路を含むヘヤードライヤを通る流体流れを生成するファンユニットと、主流体流れを加熱する加熱器と、主流体出口から主流体流れを受け入れるノズル流体入口及び主流体流れを放出するノズル流体出口を含み、流体出口からの流体流れの放出を抑制するように構成され、本体へ取付け可能なノズルとを含むヘヤードライヤである。同じく開示するのは、ヘヤードライヤ本体に取付け可能であり、主流体出口から主流体流れを受け入れるノズル流体入口及び主流体流れを放出するノズル流体出口を含み、流体出口からの流体流れの放出を抑制するように構成されたヘヤードライヤのためのノズルである。【選択図】図１ｆ
2014012143.tif 000002
【特許請求の範囲】
【請求項１】
ヘヤードライヤであって、
ハンドルと、
流体出口及び主流体出口を含む本体と、
流体流れがそこを通ってヘヤードライヤへ流入する流体入口から前記流体出口まで延びる流体流路及び主流体流れがそこを通ってヘヤードライヤへ流入する主流体入口から前記主流体出口まで延びる主流体流路を含むヘヤードライヤを通る流体流れを生成するファンユニットと、
前記主流体入口を通って引き込まれた前記主流体流れを加熱する加熱器と、
前記本体へ取付け可能であり、前記主流体出口から前記主流体流れを受け入れるノズル流体入口及び該主流体流れを放出するノズル流体出口を含み、前記流体出口からの前記流体流れの放出を抑制するように構成されたノズルと、
を含むことを特徴とするヘヤードライヤ。
【請求項２】
前記ノズルは、前記流体流れの前記生成を抑制するように構成されることを特徴とする請求項１に記載のヘヤードライヤ。
【請求項３】
前記ノズルは、前記流体流路に沿って前記流体出口へ至る前記流体の流れを抑制する手段を含むことを特徴とする請求項１又は請求項２に記載のヘヤードライヤ。
【請求項４】
前記流路に沿って前記流体出口へ至る前記流体の流れを抑制する前記手段は、前記ノズルがヘヤードライヤに取り付けられた時に前記流体流路内に位置付けられる障壁を含むことを特徴とする請求項３に記載のヘヤードライヤ。
【請求項５】
前記障壁は、前記ノズルの端部に位置付けられることを特徴とする請求項４に記載のヘヤードライヤ。
【請求項６】
前記障壁は、前記ノズルの縦軸線と実質的に直交することを特徴とする請求項４又は請求項５に記載のヘヤードライヤ。
【請求項７】
前記障壁は、前記ノズルの縦軸線に対して傾斜していることを特徴とする請求項４又は請求項５に記載のヘヤードライヤ。
【請求項８】
前記主流体出口は、前記主流体流れを前記流体流路内へ放出するように構成され、
前記ノズルは、前記流体出口を通って前記流体流路内へ挿入可能な第１の端部と、該第１の端部から遠隔の第２の端部とを含み、
前記ノズル流体入口は、前記ノズルの前記第１の端部と前記第２の端部の間に位置付けられる、
ことを特徴とする請求項１から請求項７のいずれか１項に記載のヘヤードライヤ。
【請求項９】
前記ノズル流体入口は、前記ノズルの前記縦軸線の周りに少なくとも部分的に延びる少なくとも１つの開口を含むことを特徴とする請求項８に記載のヘヤードライヤ。
【請求項１０】
前記ノズル流体入口は、前記ノズルの前記縦軸線の周りに周方向に延びる複数の開口を含むことを特徴とする請求項８又は請求項９に記載のヘヤードライヤ。
【請求項１１】
前記少なくとも１つの開口は、前記ノズルの前記縦軸線の方向に延びる長さを有し、
前記少なくとも１つの開口の前記長さは、前記ノズルの前記縦軸線の周りで変動する、
ことを特徴とする請求項９又は請求項１０に記載のヘヤードライヤ。
【請求項１２】
前記ノズルは、該ノズルの前記第１の端部と前記第２の端部の間に側壁を含み、
前記ノズルの前記第１の端部と前記第２の端部の間に位置付けられた前記側壁の一部分が、前記ノズル流体入口を少なくとも部分的に形成する、
ことを特徴とする請求項８から請求項１１のいずれか１項に記載のヘヤードライヤ。
【請求項１３】
前記側壁は、形状が管状であることを特徴とする請求項１２に記載のヘヤードライヤ。
【請求項１４】
前記ノズル流体入口は、前記側壁に形成されることを特徴とする請求項１２又は請求項１３に記載のヘヤードライヤ。
【請求項１５】
前記側壁は、内側壁の周りに延び、
前記ノズル流体入口は、前記ノズルの前記壁の間に位置付けられる、
ことを特徴とする請求項１２又は請求項１３に記載のヘヤードライヤ。
【請求項１６】
前記内側壁は、形状が管状であることを特徴とする請求項１５に記載のヘヤードライヤ。
【請求項１７】
前記内側壁は、前記第１の端部から前記第２の端部まで延びることを特徴とする請求項１５又は請求項１６に記載のヘヤードライヤ。
【請求項１８】
前記ノズルの前記第２の端部は、前記ノズル流体出口を含むことを特徴とする請求項８から請求項１７のいずれか１項に記載のヘヤードライヤ。
【請求項１９】
前記ノズル流体出口は、前記ノズルの前記第１の端部と前記第２の端部の間に位置付けられることを特徴とする請求項８から請求項１７のいずれか１項に記載のヘヤードライヤ。
【請求項２０】
ハンドルと、流体出口及び主流体出口を含む本体と、流体流れがそこを通ってヘヤードライヤへ流入する流体入口から該流体出口まで延びる流体流路及び主流体流れがそこを通ってヘヤードライヤへ流入する主流体入口から該主流体出口まで延びる主流体流路を含むヘヤードライヤを通る流体流れを生成するファンユニットと、該主流体入口を通って引き込まれた該主流体流れを加熱する加熱器とを含むヘヤードライヤのためのノズルであって、
前記本体へ取付け可能であり、前記主流体出口から前記主流体流れを受け入れるノズル流体入口と該主流体流れを放出するノズル流体出口とを含み、
前記流体出口からの前記流体流れの前記放出を抑制するように構成される、
ことを特徴とするノズル。
【請求項２１】
前記流体流れの前記生成を抑制するように構成されることを特徴とする請求項２０に記載のノズル。
【請求項２２】
前記流体流路に沿って前記ヘヤードライヤの前記流体出口へ至る前記流体の流れを抑制する手段を含むことを特徴とする請求項２０又は請求項２１に記載のノズル。
【請求項２３】
前記流路に沿って前記流体出口へ至る前記流体の流れを抑制する前記手段は、前記ノズルが前記ヘヤードライヤに取り付けられた時に前記流体流路内に位置付けられる障壁を含むことを特徴とする請求項２２に記載のノズル。
【請求項２４】
前記障壁は、ノズルの端部に位置付けられることを特徴とする請求項２３に記載のノズル。
【請求項２５】
前記障壁は、ノズルの縦軸線と実質的に直交することを特徴とする請求項２３又は請求項２４に記載のノズル。
【請求項２６】
前記障壁は、ノズルの縦軸線に対して傾斜していることを特徴とする請求項２３又は請求項２４に記載のノズル。
【請求項２７】
前記流体出口を通って前記流体流路内へ挿入可能な第１の端部と該第１の端部から遠隔の第２の端部とを含み、
前記ノズル流体入口は、ノズルの前記第１の端部と前記第２の端部の間に位置付けられる、
ことを特徴とする請求項２０から請求項２６のいずれか１項に記載のノズル。
【請求項２８】
前記ノズル流体入口は、ノズルの前記縦軸線の周りに少なくとも部分的に延びる少なくとも１つの開口を含むことを特徴とする請求項２７に記載のノズル。
【請求項２９】
前記ノズル流体入口は、ノズルの前記縦軸線の周りに周方向に延びる複数の開口を含むことを特徴とする請求項２７又は請求項２８に記載のノズル。
【請求項３０】
前記少なくとも１つの開口は、ノズルの前記縦軸線の方向に延びる長さを有し、
前記少なくとも１つの開口の前記長さは、ノズルの前記縦軸線の周りで変動する、
ことを特徴とする請求項２８又は請求項２９に記載のノズル。
【請求項３１】
ノズルの前記第１の端部と前記第２の端部の間の側壁を含み、
ノズルの前記第１の端部と前記第２の端部の間に位置付けられた前記側壁の一部分が、前記ノズル流体入口を少なくとも部分的に形成する、
ことを特徴とする請求項２７から請求項３０のいずれか１項に記載のノズル。
【請求項３２】
前記側壁は、形状が管状であることを特徴とする請求項３１に記載のノズル。
【請求項３３】
前記ノズル流体入口は、前記側壁に形成されることを特徴とする請求項３１又は請求項３２に記載のノズル。
【請求項３４】
前記側壁は、内側壁の周りに延び、
前記ノズル流体入口は、ノズルの前記壁の間に位置付けられる、
ことを特徴とする請求項３１又は請求項３２に記載のノズル。
【請求項３５】
前記内側壁は、形状が管状であることを特徴とする請求項３４に記載のノズル。
【請求項３６】
前記内側壁は、前記第１の端部から前記第２の端部まで延びることを特徴とする請求項３４又は請求項３５に記載のノズル。
【請求項３７】
ノズルの前記第２の端部は、前記ノズル流体出口を含むことを特徴とする請求項２７から請求項３６のいずれか１項に記載のノズル。
【請求項３８】
前記ノズル流体出口は、ノズルの前記第１の端部と前記第２の端部の間に位置付けられることを特徴とする請求項２７から請求項３６のいずれか１項に記載のノズル。
【発明の詳細な説明】
【技術分野】
【０００１】
本発明は、手持ち式電気器具のための付属品、特にヘヤードライヤのための付属品、及びそのような付属品を含む電気器具、特にヘヤードライヤに関する。
【背景技術】
【０００２】
送風機及び特に温風送風機は、塗料又は毛髪のような物質を乾燥させ、かつ表層を清掃し又は剥ぎ取るような様々の用途で使用される。一般的に、流体を本体内に引き込むモータ及びファンが設けられ、流体は、本体から出る前に加熱することができる。モータは、ほこり又は毛髪のような異物によって損傷し易いので、従来的に送風機の流体取入端にフィルタが設けられる。従来的に、そのような電気器具にはノズルが設けられ、ノズルは、電気器具に取り付けてかつそこから取り外すことができ、電気器具を出る流体流れの形状及び速度を変更する。そのようなノズルは、その時点のユーザの必要に応じて、電気器具の流出物を集束させるか又は流出物を拡散させるために使用することができる。
【先行技術文献】
【非特許文献】
【０００３】
【非特許文献１】Ｒｅｂａ、サイエンティフィック・アメリカン、２１４巻，１９６３年６月の第８４頁から第９２頁
【発明の概要】
【課題を解決するための手段】
【０００４】
第１の態様により、本発明は、ハンドルと、流体出口及び主流体出口を含む本体と、流体流れがそこを通ってヘヤードライヤへ流入する流体入口から流体出口まで延びる流体流路及び主流体入口から主流体出口まで延びる主流体流路を含むヘヤードライヤを通る流体流れを生成するファンユニットと、主流体入口を通って引き込まれた主流体流れを加熱する加熱器と、本体へ取付け可能であり、主流体出口から主流体流れを受け入れるノズル流体入口及び主流体流れを放出するノズル流体出口を含み、流体出口からの流体流れの放出を抑制するように構成されたノズルとを含むヘヤードライヤを提供する。
【０００５】
ヘヤードライヤは、ファンユニットによって処理されかつそれによって電気器具の中に引き込まれる主流れと、処理された主流れによって同伴される流体流れとを有する。従って、ヘヤードライヤを通る流体流れは、同伴された流れによって増幅される。
【０００６】
主流体流路は、ヘヤードライヤの中への主流体入口、すなわち、主流体流れがそこを通ってヘヤードライヤに流入する主流体入口で始まる。
【０００７】
好ましくは、ノズルは、流体流れの生成を抑制するように構成される。
【０００８】
ノズルは、流体流路に沿って流体出口へ至る流体の流れを抑制する手段を含むことが好ましい。
【０００９】
好ましくは、流路に沿って流体出口へ至る流体の流れを抑制する手段は、ノズルがヘヤードライヤに取り付けられた時に流体流路内に位置付けられる障壁を含む。
【００１０】
障壁は、ノズルの端部に位置付けられることが好ましい。
【００１１】
好ましくは、障壁は、ノズルの縦軸線と実質的に直交する。代替的に、障壁は、ノズルの縦軸線に対して傾斜する。
【００１２】
主流体出口は、主流体流れを流体流路内へ放出するように構成されることが好ましく、ノズルは、流体出口を通って流体流路内へ挿入可能な第１の端部と、第１の端部から遠隔の第２の端部とを含み、ノズル流体入口は、ノズルの第１の端部と第２の端部の間に位置付けられる。
【００１３】
好ましくは、ノズル流体入口は、ノズルの縦軸線の周りに少なくとも部分的に延びる少なくとも１つの開口を含む。ノズル流体入口は、ノズルの縦軸線の周りに周方向に延びる複数の開口を含むことが好ましい。
【００１４】
好ましくは、少なくとも１つの開口は、ノズルの縦軸線の方向に延びる長さを有し、少なくとも１つの開口の長さは、ノズルの縦軸線の周りで変動する。
【００１５】
ノズルは、ノズルの第１の端部と第２の端部の間に側壁を含むことが好ましく、ノズルの第１の端部と第２の端部の間に位置付けられた側壁の一部分は、ノズル流体入口を少なくとも部分的に形成する。
【００１６】
好ましくは、側壁は、形状が管状である。ノズル流体入口は、側壁に形成されることが好ましい。
【００１７】
好ましくは、側壁は、内側壁の周りに延び、ノズル流体入口は、ノズルのこれらの壁の間に位置付けられる。内側壁は、形状が管状であることが好ましい。
【００１８】
好ましくは、内側壁は、第１の端部から第２の端部まで延びる。ノズルの第２の端部は、ノズル流体出口を含むことが好ましい。
【００１９】
ノズル流体出口は、ノズルの第１の端部と第２の端部の間に位置付けられることが好ましい。
【００２０】
第２の態様により、本発明は、ハンドルと、流体出口及び主流体出口を含む本体と、ヘヤードライヤを通る流体流れを生成するファンユニットと、流体流れがそこを通ってヘヤードライヤへ流入する流体入口から流体出口まで延びる流体流路と、主流体入口から主流体出口まで延びる主流体流路と、主流体入口を通って引き込まれた主流体流れを加熱する加熱器とを含むヘヤードライヤのためのノズルを提供し、ノズルは、本体へ取付け可能であり、ノズルは、主流体出口から主流体流れを受け入れるノズル流体入口と、主流体流れを放出するノズル流体出口とを含み、ノズルは、流体出口からの流体流れの放出を抑制するように構成される。
【００２１】
主流体流路は、ヘヤードライヤの中への主流体入口、すなわち、主流体流れがそこを通ってヘヤードライヤに流入する主流体入口で始まる。
【００２２】
好ましくは、ノズルは、流体流れの生成を抑制するように構成される。
【００２３】
ノズルは、流体流路に沿ってヘヤードライヤの流体出口へ至る流体の流れを抑制する手段を含むことが好ましい。
【００２４】
好ましくは、流路に沿って流体出口へ至る流体の流れを抑制する手段は、ノズルがヘヤードライヤに取り付けられた時に流体流路内に位置付けられる障壁を含む。
【００２５】
障壁は、ノズルの端部に位置付けられることが好ましい。
【００２６】
好ましくは、障壁は、ノズルの縦軸線と実質的に直交する。
【００２７】
代替的に、障壁は、ノズルの縦軸線に対して傾斜する。
【００２８】
好ましくは、ノズルは、流体出口を通って流体流路内へ挿入可能な第１の端部と、第１の端部から遠隔の第２の端部とを含み、ノズル流体入口は、ノズルの第１の端部と第２の端部の間に位置付けられる。
【００２９】
ノズル流体入口は、ノズルの縦軸線の周りに少なくとも部分的に延びる少なくとも１つの開口を含むことが好ましい。
【００３０】
好ましくは、ノズル流体入口は、ノズルの縦軸線の周りに周方向に延びる複数の開口を含む。
【００３１】
少なくとも１つの開口は、ノズルの縦軸線の方向に延びる長さを有し、少なくとも１つの開口の長さは、ノズルの縦軸線の周りで変動することが好ましい。
【００３２】
好ましくは、ノズルは、ノズルの第１の端部と第２の端部の間に側壁を含み、ノズルの第１の端部と第２の端部の間に位置付けられる側壁の一部分は、ノズル流体入口を少なくとも部分的に形成する。
【００３３】
側壁は、形状が管状であることが好ましい。
【００３４】
好ましくは、ノズル流体入口は、側壁に形成される。
【００３５】
側壁は、内側壁の周りに延び、ノズル流体入口は、ノズルのこれらの壁の間に位置付けられることが好ましい。
【００３６】
好ましくは、内側壁は、形状が管状である。内側壁は、第１の端部から第２の端部まで延びることが好ましい。
【００３７】
ノズルの第２の端部は、ノズル流体出口を含むことが好ましい。
【００３８】
好ましくは、ノズル流体出口は、ノズルの第１の端部と第２の端部の間に位置付けられる。
【００３９】
ここで、本発明を一例としてかつ添付図面を参照して以下に説明する。
【図面の簡単な説明】
【００４０】
【図１ａ】本発明による単一流路ノズルの図である。
【図１ｂ】本発明による単一流路ノズルの図である。
【図１ｃ】本発明による単一流路ノズルの図である。
【図１ｄ】本発明による単一流路ノズルの図である。
【図１ｅ】本発明による単一流路ノズルの図である。
【図１ｆ】本発明による単一流路ノズルの図である。
【図２ａ】ヘヤードライヤへ取り付けられた単一流路ノズルの図である。
【図２ｂ】ヘヤードライヤへ取り付けられた単一流路ノズルの図である。
【図２ｃ】ヘヤードライヤへ取り付けられた単一流路ノズルの図である。
【図３ａ】端弁を有するノズルを示す図である。
【図３ｂ】端弁を有するノズルを示す図である。
【図３ｃ】端弁を有するノズルを示す図である。
【図３ｄ】端弁を有するノズルを示す図である。
【図４ａ】ヘヤードライヤに取り付けられた代替の単一流路ノズルを示す図である。
【図４ｂ】代替の単一流路ノズルを示す図である。
【図４ｃ】代替の単一流路ノズルを示す図である。
【図４ｄ】代替の単一流路ノズルを示す図である。
【図４ｅ】代替の単一流路ノズルを示す図である。
【図４ｆ】代替の単一流路ノズルを示す図である。
【図４ｇ】代替の単一流路ノズルを示す図である。
【図５ａ】更に別の単一流路ノズルを示す図である。
【図５ｂ】更に別の単一流路ノズルを示す図である。
【図５ｃ】更に別の単一流路ノズルを示す図である。
【図５ｄ】更に別の単一流路ノズルを示す図である。
【図５ｅ】更に別の単一流路ノズルを示す図である。
【図６ａ】ヘヤードライヤと共に別の単一流路ノズルを示す図である。
【図６ｂ】ヘヤードライヤと共に別の単一流路ノズルを示す図である。
【図６ｃ】ヘヤードライヤと共に別の単一流路ノズルを示す図である。
【図６ｄ】ヘヤードライヤと共に別の単一流路ノズルを示す図である。
【図６ｅ】ヘヤードライヤと共に別の単一流路ノズルを示す図である。
【図６ｆ】ヘヤードライヤと共に別の単一流路ノズルを示す図である。
【図７ａ】単一流路内への２つの入口を有するノズル及びヘヤードライヤを示す図である。
【図７ｂ】単一流路内への２つの入口を有するノズル及びヘヤードライヤを示す図である。
【図７ｃ】単一流路内への２つの入口を有するノズル及びヘヤードライヤを示す図である。
【図８ａ】代替の２つ出口配置を示す図である。
【図８ｂ】代替の２つ出口配置を示す図である。
【図８ｃ】代替の２つ出口配置を示す図である。
【図８ｄ】代替の２つ出口配置を示す図である。
【図９ａ】更に別のノズル及びヘヤードライヤ組合せを示す図である。
【図９ｂ】更に別のノズル及びヘヤードライヤ組合せを示す図である。
【図９ｃ】更に別のノズル及びヘヤードライヤ組合せを示す図である。
【図９ｄ】更に別のノズル及びヘヤードライヤ組合せを示す図である。
【図１０ａ】更に別の単一流路ノズル及びヘヤードライヤを示す図である。
【図１０ｂ】更に別の単一流路ノズル及びヘヤードライヤを示す図である。
【図１０ｃ】更に別の単一流路ノズル及びヘヤードライヤを示す図である。
【図１０ｄ】更に別の単一流路ノズル及びヘヤードライヤを示す図である。
【図１０ｅ】更に別の単一流路ノズル及びヘヤードライヤを示す図である。
【図１０ｆ】更に別の単一流路ノズル及びヘヤードライヤを示す図である。
【図１０ｇ】更に別の単一流路ノズル及びヘヤードライヤを示す図である。
【図１０ｈ】ノズルのないヘヤードライヤを示す図である。
【図１０ｉ】ノズルのないヘヤードライヤを示す図である。
【図１０ｊ】ヘヤードライヤと共に更に別の付属品を示す図である。
【図１０ｋ】ヘヤードライヤと共に更に別の付属品を示す図である。
【図１０ｌ】ヘヤードライヤと共に更に別の付属品を示す図である。
【図１０ｍ】ヘヤードライヤと共に更に別の付属品を示す図である。
【発明を実施するための形態】
【００４１】
図１ａから図１ｆは、ほぼ管状の本体１１０を含むノズル１００を示し、本体は、その長さに沿って延びる縦軸線Ａ−Ａを有し、かつ本体１１０の壁１１２を通る流体入口１２０と、流体入口１２０の下流にある流体出口１３０とを有する。流体入口１２０は、ノズルの縦軸線Ａ−Ａの方向に延びる長さを有し、ノズル１００の第１の端部又は上流端１００ａと第２の端部又は下流端１００ｂの間に位置付けられる。
【００４２】
この実施例では、流体出口１３０はスロット形状を有し、スロットの長さＢ−Ｂは、本体１１０の直径Ｃ−Ｃよりも大きい。この実施例では、流体入口１２０は、補強支柱１２０ｂによって分離されたいくつかの個別の開口１２０ａを含む。開口１２０ａは、ノズル１００の縦軸線の周りを周方向に延びる。
【００４３】
使用時に、流体は、流体入口１２０へ入り、本体１１０の長さに沿って流体流路１６０に沿ってかつ流体出口１３０から流出するように流れる。ノズル１００の上流端１００ａは、端壁１４０によって閉鎖されるので、流体は、流体入口１２０を通ってのみノズル１００へ流入可能である。
【００４４】
図２ａから図２ｃは、ヘヤードライヤ２００へ取り付けられたノズル１００を示している。ノズル１００は、ストップ２１０に到達するまでヘヤードライヤの下流端２００ｂ内へ挿入される。この位置で、ノズル１００の流体入口１２０は、ヘヤードライヤ２００の主流体出口２３０と流体連通される。ノズルは、ヘヤードライヤから放出される流体流れの少なくとも１つのパラメータを調整する付属品であり、ノズルの下流端１００ｂは、ヘヤードライヤ２００の下流端２００ｂから突出する。
【００４５】
ヘヤードライヤ２００は、ハンドル２０４、２０６と、ダクト２８２、２８４を含む本体２０２とを有する。主流体流路２６０は、この実施例では、ヘヤードライヤの上流端２００ａ、すなわち、流体出口２００ｂからヘヤードライヤの遠位の端部に位置付けられた主入口２２０において始まる。流体は、ファンユニット２５０によって主流体入口２２０内へ引き込まれ、流体は、ヘヤードライヤの外側本体２０２の内側に位置付けられた主流体流路２６０に沿って、外側本体２０２とダクト２８２の間を第１のハンドル部分２０４に沿ってファンユニット２５０へ流れる。
【００４６】
ファンユニット２５０は、ファン及びモータを含む。流体は、ファンユニット２５０を通り、第２のハンドル部分２０６に沿って引き込まれ、本体の内側の階段２６０ａ内でヘヤードライヤの本体２０２へ戻る。本体２０２の内側階段２６０ａは、主流体流路２６０とダクト２８２の間で主流体流路２６０内に入れ子にされ、かつ加熱器２０８を含む。加熱器２０８は、環状であり、内側階段２６０ａを通って流れる流体を直接加熱する。加熱器２０８の下流において、流体は、主出口２３０から主流体流路を出る。
【００４７】
ノズル１００がヘヤードライヤ２００へ取り付けられた状態では、主出口２３０は、ノズル１００の流体入口１２０と流体連通される。主出口２３０から流出する流体は、ノズル１００の本体１１０に沿ってノズル出口１３０へ流れる。
【００４８】
ヘヤードライヤ２００は、第２の流体流路２８０を有する。この第２の流体流路２８０は、第２の入口２７０からヘヤードライヤの本体２０２の長さに沿ってダクト２８２を通って第２の出口２９０へ延び、ヘヤードライヤへ取り付けたノズルがない場合、第２の流体流路２８０を通って流れる流体は、主流体出口２３０において主流体と混合し合う。この混合し合った流れは、ダクト２８４に沿ってヘヤードライヤの流体出口２００ｂまで続く。第２の流体流路２８０を通って流れる流体は、ファンユニット２５０によって処理されず、それは、ファンユニットがオンに切り換えられた時に主流体流路２６０を通る主流体流れによって同伴される。
【００４９】
第２の流体流路２８０は、上流ダクト２８２及び下流ダクト２８４によって形成された管に沿って延びると考えることができ、主出口２３０は、ダクト２８２とダクト２８４の間にある管内の開口である。ノズルは、ダクト２８２、２８４によって形成された管内へ部分的に挿入される。この実施例では、ノズル１００は、ヘヤードライヤ出口２００ｂ内へ下流ダクト２８４に沿って開口又は主流体出口２３０を過ぎて上流ダクト２８２内へ摺動可能に挿入される。ノズル１００は、ダクト２８２、２８４内に摩擦によって保持される。この実施例では、摩擦は、ストップ２１０とヘヤードライヤのダクト２８４の間に与えられる。
【００５０】
ノズル１００は、単一流路ノズルであり、主流体流路２６０から来てファンユニット２５０によって処理された流体のみがノズル１００を通って流れる。ノズル１００の端壁１４０は、第２の流体流路２８０を閉鎖する障壁であり、ノズルがヘヤードライヤに正しく取り付けられた時、それによって第２の流体流路内への同伴を防止する。ノズル１００は、同伴流体の放出を防止し、かつ同伴流体の発生を抑制する。
【００５１】
代替的に、ノズルは、ヘヤードライヤ２００の下流ダクト２８４内へ延びることができると考えられるが、主流体出口２３０の所までは延びない。この実施例では、主流体流路２６０からの流体は、第２の流体流路２８０からの同伴流体と主流体流路２３０において混合され、混合流れは、ノズルの上流端においてノズルに入り、ノズルの流体出口１３０まで続き、ノズル出口において組合せ流体流れを生成する。
【００５２】
ノズル１００の端壁１４０は、弁を含むことが有利である。これは、ヘヤードライヤがオンである間にノズル１００がヘヤードライヤ内へ挿入される場合に助けとなる。弁は開いて十分な流体流れ、例えば、約２２ｌ／ｓがそれを流れるように設計される。
【００５３】
ここで、図３ａから図３ｄを参照してノズルの弁の作動を説明する。図３ａに示すように、ノズル１００がヘヤードライヤ２００の出口端２００ｂへ最初に挿入されると、ノズル１００の上流端壁１４０内の弁１５０が開く。弁１５０は、端壁１４０の中央支柱１５２内へ取り付けられ、流体流れの力が十分に高い場合、弁１５０は、ノズル１００に重なり、ノズル１００の端壁１４０内に開口部１５４、例えば、環状の開口部を作る。弁１５０は、ノズル１００へ流入する流体の力によって下流へ押される。
【００５４】
入口１２０がヘヤードライヤ２００の主出口２３０と部分的に位置合わせされた状態で、主流れの一部は、入口１２０を通って流れ、その結果、弁１５０における圧力が低下する。主流れの少なくとも大部分が入口１２０を通過すると、図３ｃに示すように、弁１５０は閉じる。弁１５０が閉じた場合、ノズルの端壁１４０が閉鎖されるので、流体は、第２の流体流路２８０を流通不可能である。従って、唯一の流れは、主流体流路２６０の主出口２３０から来てノズルの入口１２０内へ至る。
【００５５】
ノズル１００は、高温整髪のノズルである。ヘヤードライヤを通る通常流れのほぼ半分のみがノズルを通って出口１３０へ流れるが、流れの速度は、ノズルの形状によって上昇させられ、従って、ユーザは通常流れのそれと同様の力を感じる。通常流れは、付属品がないヘヤードライヤを通って流れる合計流れ、すなわち、主流れと第２の流れ又は同伴された流れとを加算したものである。ノズル出口１３０の形状は、ヘヤードライヤ出口２００ｂと比べて横断面積を低減し、これは、流れの速度を上昇させる。
【００５６】
図示のヘヤードライヤは、ヘヤードライヤのハンドルを通って流れる主流体流路を有するが、これは、要件ではない。代替的に、主流体流路は、主入口２２０から本体２０２に沿って加熱器を通り、主流体出口２３０へ至り、従って、ノズル内へ至るように流れることができる。
【００５７】
図６ａから図６ｆは、ヘヤードライヤ２００へ取り付けられたノズル８００を示している。この実施形態において、図２ａから図２ｃに関して図示かつ説明された構成要素は、同様の参照番号を有する。ノズルは、ノズル１００に類似するが、弁１５０の代わりに、このノズル８００は、傾いた上流端８００ａ及び流体入口８２０を含み、すなわち、流体入口８２０は、ノズル８００の縦軸線の方向に延びかつノズルの縦軸線の周りで変動する長さを有する。流体入口８２０は、本体８１０の側壁８２２で形成され、側壁８２２は、本体８１２の壁及びノズル８００の縦軸線Ａ−Ａと実質的に直交する。
【００５８】
ノズル８００がヘヤードライヤ２００の出口端２００ｂ内へ挿入される時に、流体入口８２０は、ヘヤードライヤの主流体出口２３０と次第に位置合わせされる（図６ｆ）。図１１ｄに示すように、ノズル８００が完全に挿入された時に、環状の主流体出口２３０全体は、ノズル入口８２０と流体連通する。
【００５９】
ヘヤードライヤがオンに切り換えられた時、ノズル８００の挿入には初期抵抗があり、これは、ヘヤードライヤを通って流れる主流体及び第２の流体があることによるが、同伴効果は、ヘヤードライヤ出口端２００ｂが斜めのノズル入口端８００ａによって閉鎖される時に次第に減少し、ヘヤードライヤのノズル出口端８００ｂが完全に閉鎖されるまで続く。この時点では、流体入口８２０内へ流入不可能な主流体出口２３０からの主流れは、第２の流体流路２８０へ下側に向きを変更され、ヘヤードライヤの後端又は上流端２００ａに向けられる。従って、ノズルが最初に挿入された時に、主流れは、ノズルの下流端８００ｂから流出不可能であり、第２の流体流路２８０に沿って反対方向に流通可能である。この特徴は、ノズル挿入工程中に加熱器を過熱から保護し、その理由は、一部の流体が主流体流路を常に流通するからである。
【００６０】
図４ａから図４ｇは、ほぼ管状の本体６１０、第１の端部又は上流端６００ａ、及び第２の端部又は下流端６００ｂを有する代替の単一流路ノズル６００を示している。ノズル６００の第１の端部６００ａと第２の端部６００ｂの間には、本体６１０の外側壁６１２内に流体入口６２０があり、流体入口６２０の下流に流体出口６３０がある。この実施例では、流体出口６３０は、リング形状を有し、又は環状であり、ノズル６００の内側壁６１４と外側壁６１２によって形成される。
【００６１】
流体入口６２０は、ノズルの外側壁６１２内の開口部であり、かつ開口によって形成され、開口は、外側壁の傾斜した縁部６２２ｂと、流体入口の上流端に設けられかつ外側壁６１２と内側壁６１４とを連結する湾曲した側壁６２２とで形成される。外側壁の傾斜した縁部は、主流れがノズルに流入する時に渦及び圧力損失を低減するように流体流れの方向に傾いている。
【００６２】
外側壁６１２は、内側壁６１４を取り囲み、壁６１２、６１４は、ほぼ管状の本体６１０を通り、入口６２０から出口６３０へ至る流体流路６６０を一緒に形成する。出口６３０の近くで、内側壁６１４ｂは、外側へ湾曲して直径が増加し、流体流路の出口６３０における横断面を低減させる。内側壁６１４は、出口６３０とノズル６００の外側壁６１２の端部とを超えて下流ノズル端６００ｂまで続く。内側壁６１４ｂは、凸面かつコアンダ面であり、すなわち、内側壁は、流体流路６６０を通って流れる流れが内側壁６１４ｂの表面に沿って進むようにし、その理由は、内側壁が湾曲して出口６３０及び下流ノズル端６００ｂに環状の流れを形成するからである。また、コアンダ面６１４は、出口６３０から流出する主流体流れがコアンダ効果によって増幅されるように位置付けられる。
【００６３】
ヘヤードライヤは、コアンダ効果を利用する増幅領域を提供するコアンダ面を含むノズルにより、上述の出力及び冷却効果を達成する。コアンダ面は、公知タイプの面であり、この面に近い出口オリフィスから出る流体流れは、面の上でコアンダ効果を発揮する。流体は、面の上でその近くを流れ、殆ど面に「くっついて」又は「沿って」流れる傾向がある。コアンダ効果は、文献で十分に証明された同伴方法であって、それによってコアンダ面の上で主空気流が誘導される。コアンダ面の特徴及びコアンダ面の上の流体流れの効果の記載は、Ｒｅｂａ、サイエンティフィック・アメリカン、２１４巻，１９６３年６月の第８４頁から第９２頁の論文などに見出すことができる。
【００６４】
有利な態様において、このアセンブリは、ノズルの口部を取り囲む空気の同伴をもたらし、滑らかな全体出力が維持されながら、主空気流は少なくとも１５％増幅されるようになる。
【００６５】
出口６３０における流体が内側壁の湾曲面６１４ｂに沿って下流ノズル端６００ｂへ流れる６１６ように促進することにより、流体は、ヘヤードライヤ２００の外側からコアンダ効果によって同伴される６１８（図４ｃ）。この同伴作用は、下流ノズル端６００ｂにおける流れを増加させ、従って、下流ノズル端６００ｂを流れる流体の体積は、ファンユニット２５０及び加熱器２０８を通してヘヤードライヤによって処理される上記同伴によって増幅される。
【００６６】
図４ａに示すように、ノズル６００がヘヤードライヤ２００へ取り付けられた時、流体入口６２０は、ヘヤードライヤの主流体出口２３０に位置合わせされる。ヘヤードライヤ２００は、中心ダクト２８２を通る第２の流体流路２８０を有するが、これは、ノズル６００によって閉鎖される。図２ａに示す実施例では、ノズル１００は、ノズルの上流端１００ａにおいて第２の流体流路２８０を閉鎖する。この実施例では、ノズル６００は、湾曲壁６１４ｂの上流側延長部を利用し、延長部は、内側へ湾曲して第２の流体流路を閉鎖する丸い端部６１６を形成する。
【００６７】
ノズル流体流路６６０を主流体出口２３０に対して密封するために、ノズルの外側壁６１２は、カラー６１２ａを含む。カラー６１２ａは、外側壁６１２から直立する外側壁よりも大きな直径を有し、かつヘヤードライヤ２００内のダクト２８２と適合するように設計される。カラー６１２ａは、ノズル６００の流体入口６２０の上流にある。第２のカラー６１２ｂも、理想的には流体入口６２０の下流に設けられ、ヘヤードライヤの主出口２３０からの流体がノズルの外側壁６１２とヘヤードライヤ出口２００ｂの間に流れるのを防止する。
【００６８】
図５ａから図５ｅは、図８に関して説明したものと類似する更に別の単一流路ノズル１０を示している。このノズルでは、流体流路６０が、入口２０から出口３０まで設けられる。入口２０は、ノズル１０の第１の端部又は上流端１０ａと第２の端部又は下流端１０ｂとの間でノズル１０のほぼ管状の本体１４の外側壁１２を通る。出口３０は、ノズルの外側壁１２と内側壁３２の間に形成されたスリットである。
【００６９】
内側壁３２は、凸面であり、外側壁１２の下流端１２ｂに位置付けられた注ぎ口３４によって形成される。流体流路６０を通って流れる流体は、注ぎ口３４の上流端３４ａによって狭いところを通され、出口３０へ向う。内側壁３２が凸面であるので、出口３０から流出する流体は、コアンダ効果によって表面３２へ引き込まれ、これは、ノズル１０の周りで環境から流体１８を同伴する。
【００７０】
注ぎ口３４の下流端３４ｂにおける形状は、ほぼ矩形状であるので、流体は、ノズルからほぼ矩形状プロフィールで流出する。
【００７１】
ノズルの後端又は上流端１０ａは、円錐形状の注ぎ口７０を有するので、ノズル１０がヘヤードライヤ２００（図示しない）と組み合わせて使用された場合、第２の流体流路２８０からの流体は、円錐形状の注ぎ口７０によって閉鎖される。
【００７２】
図７ａから図７ｃは、ノズル及びヘヤードライヤ組合せを示し、ノズル１１００は、その長さに沿って延びる縦軸線Ｄ−Ｄを有するほぼ管状の本体１１０３を含み、かつノズル１１００の流体流路１１０６への第１の入口１１０２及び第２の入口１１０４を有する。ヘヤードライヤ１１２０は、第１の入口１１０２及び第２の入口１１０４とそれぞれ流体連通する対応する主出口１１２２及び第２の主出口１１２４を有する。この配置は、ヘヤードライヤの主流体流路１２６を通る主流が２つの出口領域を有することを意味する。ヘヤードライヤ１１２０上でノズル１１００を使用すると、ヘヤードライヤを通る流れが制約され、ヘヤードライヤによる出力の約４ｌ／ｓまでの低下をもたらす。主流のために第２の主出口１１２４を導入したことにより、出力の低下は軽減される。
【００７３】
第２の入口１１０４は、ノズルの縦軸線の方向に延び、かつノズル１１００のほぼ管状の本体１１０３の外側壁１１１０を通って周囲に放射状に延びる点で第１の入口１１０２に類似する。第２の入口１１０４は、補強支柱１１０４ｂによって分離されたいくつかの個別の開口１１０４ａから構成される。
【００７４】
主流体出口を有するヘヤードライヤの一部を示す図７ａを参照すると、主流体出口は、第１の主出口１１２２及び第２の主出口１１２４を含み、ノズルがヘヤードライヤ１１２０に取り付けられない場合、第２の主出口１１２４は閉鎖され、その理由は、ヘヤードライヤ１１２０の主流体流路１１２６を通る流れを増加させることは要求されないからである。第２の主出口１１２４を塞ぎ、閉じ、覆い、又は制限する閉鎖部１１３０が設けられる。閉鎖部１１３０はバネ１１３２によって閉鎖位置まで付勢され、この実施例では、バネは、閉鎖部１１２４に対して押圧し、第２の主出口１１２４を塞ぐ。第１の主出口１１２２及び第２の主出口１１２４は、両方とも開口を含み、かつノズル１１００の縦軸線Ｄ−Ｄに沿って離間している。
【００７５】
ここで図７ｃを参照すると、ノズル１１００には、リップ１１０８が設けられ、リップは、ノズルのほぼ管状の壁１１０１から直立する。リップ１１０８は、ノズル１１００の本体１１０３のほぼ管状の外側壁１１０５の周囲の周りで連続的又は非連続的とすることができ、かつ壁１１０５から直立するのに十分な深さ及び高さとされ、それによって第１に閉鎖部１１３０と係合し、第２にノズル１１００が引っ掛かることなく、リップ１１０８の閉鎖部１１３０との係合位置までノズルが挿入されることを許す。
【００７６】
この実施例のリップは、ノズルの本体１１０３に形成した凹部に保持されたＯリングから形成される。代替は、当業者には明らかであり、一体の成形されたリップ、プラスチック／硬質ゴムリング、既存のヒンジ、オーバモールドされたリップ、及び押込み配置を含むがこれらに限定されない。
【００７７】
閉鎖部１１３０は、リング形状であり、Ｓ字プロフィールを有する。リングの中心に開口１１２６があり、開口は、ヘヤードライヤの第１の主流体出口１１２２から来てヘヤードライヤの主流体流路１１２６を通って流れる流体がヘヤードライヤの下流端１１２０ｂを出ることを可能にする。閉鎖部１１３０のＳ字プロフィールの第１の端部１１２５は、バネ１１３２の一端と係合し、閉鎖部１１３０がそれによって閉塞位置又は閉鎖位置まで付勢される手段を提供する。Ｓ字プロフィールの第２の端部１１２７は、ヘヤードライヤの主出口１１２２と下流端１１２０ｂとの間でヘヤードライヤの流体流路１１２９内へ突出する。ノズルがヘヤードライヤ１１２０の下流端１１２０ｂ内へ十分に挿入された時に（図７ｂ参照）、閉鎖部１１３０のこの第２の端部１１２７は、ノズル１１００のリップ１１０８と係合し、かつノズルが係合点を超えて挿入される時に、閉鎖部１１３０は、バネ１１３２の作用に対抗して押されかつ摺動し、第２の主出口１１２４を開き、流体が主流体流路１１２６内へ流れて第１の主出口１１２２又は第２の主出口１１２４のいずれかを通じて流出することを許し、こうしてノズルの使用に基づくヘヤードライヤを通る流体流れのあらゆる制約を軽減する。
【００７８】
ノズル１１００の周りのヘヤードライヤ出口１１２０ｂから来た流体の主流体流路１１２６からの漏出を防止するために、外側壁１１０３は、外側壁１１０３の周りに延びかつノズルをヘヤードライヤ出口１１２０に対して密封する直立カラー１１１０を含む。カラー１１１０は、ノズル及びヘヤードライヤの間にノズルをヘヤードライヤ内に保持する摩擦点を追加的に提供する。
【００７９】
ノズル１１００は、流体がノズル出口１１１２を通って出力される下流端１１００ｂと、上流端１１００ａとを有する。一実施形態において、ノズルの上流端１１００ｂは、端壁１１１４を含む。この実施形態において、ヘヤードライヤからの主流は、ノズル出口１１１２から出力される流れのみである。
【００８０】
図８ａから図８ｄは、異なる配置を示している。この実施例では、主流体流路１１７６からの第２の主出口１１７４は、内側壁を通るのではなく、ヘヤードライヤ１１５０の端壁１１６０内にある。
【００８１】
ここで図８ａを参照すると、ヘヤードライヤは、内側壁１１５４ａ、１１５４ｂと外側壁又は外部壁１１５６とを有するほぼ管状の本体１１５２を有する。ヘヤードライヤの下流端１１５０ｂにおいて、内側壁１１５４ｂと外側壁１１５６の間に端壁１１６０、１１８０が設けられる。端壁は、本体１１５２の縦軸線Ｅ−Ｅと直交し、かつ固定部分１１６０と可動部分又は閉鎖部１１８０とを有する。閉鎖部１１８０は、環状であり、バネ１１８２によって端壁１１６０の固定部分と実質的に同一平面になるように付勢される。ノズルがヘヤードライヤ１１５０内へ挿入された時に、閉鎖部１１８０は、バネ１１８２に対して押され、バネを圧縮させて第２の主出口１１７４を開放する。この実施例では、閉鎖部１１８０は、ヘヤードライヤの内側壁１１５４ｂに隣接するが、閉鎖部は、内側壁と外側壁の間のどこにでも配置可能である。また、閉鎖部は、端壁の周りで連続していることを必要としない。
【００８２】
図８ｄを参照すると、ノズル１１９０は、外側壁１１９４を有するほぼ管状の本体１１９２を有する。第１の入口１１９６は、外側壁１１９４内において、ノズルの第１の端部又は上流端１１９０ａと第２の端部又は下流端１１９０ｂとの間であるが、ノズルの上流端１１９０ａに向けて設けられる。この第１の入口１１９６は、ヘヤードライヤの本体の内側壁１１５４内に設けられたヘヤードライヤの第１の主出口１１７２と流体連通され、流体流路１１９７がノズルを通って設けられ、第１の入口１１９６からノズルの本体１１９２を通り、ノズルの下流端１１９０ｂにあるノズル出口１１９８に至る。ノズルの外側壁１１９４は、ヘヤードライヤの出口端１１５０ｂへ挿入することができるように設計される。外側壁１１９４の下流端１１９４ｂに、フック形状のリップ１１９３が設けられる。ノズル１１９０がヘヤードライヤに挿入された時に、フック形状のリップ１１９３は、ヘヤードライヤの内側壁１１５４ｂの端部を覆い、閉鎖部１１８０と係合し、バネ１１８２の作用に対抗してそれを押す。第２の開口１１７４からノズルの下流端１１９０ｂまで第２の流体流路１１８４を設けるように、カラー１１９５がノズル上に設けられる。ノズルがヘヤードライヤ内へ挿入された時に、カラー１１９５は、ヘヤードライヤの本体１１５２の外側壁１１５６の上に適合し、かつ端壁１１６０の固定部分及びフック形状リップ１１９３と共に、ノズル内において流体流路１１９７内の第１の流体入口１１９６からの流体と結合するノズルのための第２の流体入口１１８４を形成する。
【００８３】
ノズル１１９０は、図８ｂ及び図８ｃに示すように挿入され、リップ１１９３は、閉鎖部１１８０と係合し、バネ１１８２の作用に対抗して閉鎖部を強制的に戻し、第２の主出口１１７４を開く。
【００８４】
図９ａから図９ｄは、ノズル１２００がヘヤードライヤ１２５２上で使用された場合に流れ制約を軽減する代替の配置を示している。この実施例では、ノズル１２００の挿入は、ヘヤードライヤ１２５２の主流体出口１２５０の大きさの増大をもたらす。
【００８５】
ノズル１２００は、その長さに沿って延びる縦軸線Ｆ−Ｆを有するほぼ管状の本体１２０２を有する。支柱１２１２によって分離されたいくつかの開口１２１０を含む流体入口１２０８は、ノズル１２００の縦軸線Ｆ−Ｆの方向に延びる長さを有し、かつ本体１２０２の外側壁１２０４内でノズル１２００の第１の端部又は上流端１２００ａと第２の端部又は下流端１２００ｂの間に位置付けられる。
【００８６】
ヘヤードライヤ１２５２は、ほぼ管状の本体を有し、本体は、内側壁１２５４ａ、１２５４ｂと、外側壁１２５６と、それらの間に設けられた主流体流路１２５８とを有する。主流体流路１２５８は、主入口１２２０から内側壁１２５４ａ、１２５４ｂの２つの区画間の開口として設けられた主出口１２５０へ延び、その後、ヘヤードライヤ１２５２の本体内の中心ボア１２６０を通り、ヘヤードライヤ出口１２６２へ延びる。
【００８７】
主出口１２５０は、内側壁１２５４ｂの下流区画へ取り付けられた固定面１２７０と、内側壁１２５４ａの上流区画へ連結された可動面１２７２とで形成される。主出口１２５０を開くことができるように、上流内側壁１２５４ａの可動部分１２５４ａａは、主流体出口１２５０における流体流れの方向に対抗してヘヤードライヤ１２５２の上流端１２５２ａに向けて摺動可能に可動である。内側壁１２５４ａの上流区画及び可動部分１２５４ａａは、バネ１２８０（図９ａ及び図９ｂ）によって離れるように付勢された重ね継ぎ１２８２（図１４ｄ）を形成する。可動部分１２５４ａａは、ヘヤードライヤ内にダクト１２６２と評する内面を有し、かつダクト１２６２から直立してダクト１２６２内へ半径方向に延びるリム又はリップ１２６４を含む。ノズル１２００がヘヤードライヤの出口１２６２内へ挿入された時に、ノズルの外側壁１２０４の上流端１２００ａは、可動部分１２５４ａａ上のリム又はリップ１２６４と係合し、バネ１２８０の付勢作用に対抗して可動部分１２５４ａａを押すので、可動部分１２５４ａａは、上流内側壁１２５４ａに向けて摺動し、主流体出口１２５０を開ける（図９ｃから図９ｄ）。
【００８８】
ノズル１２００がその後取り外された場合、可動部分１２５４ａａは、ヘヤードライヤ１２５２の下流端１２５２ｂへ向けて戻るように摺動し、主出口１２５０を最初のサイズへ戻す。
【００８９】
図１０ａ、図１０ｂ、図１０ｈから図１０ｋは、全てヘヤードライヤ６７０を示し、ヘヤードライヤは、ファンユニット６７２及び加熱器６７３で処理される主流体流路６７１と、流体を主流体流路６７１内へ引き込むファンユニット６７２の作用によってヘヤードライヤ内へ同伴された流体を含む第２の流体流路６８０とを有する。
【００９０】
特に図１０ｈ及び図１０ｉを参照すると、主流体流れは、主入口６７４において主流体流路６７１内へ引き込まれ、第１のハンドル６７６に沿ってファンユニット６７２を通り、第２のハンドル６７７に沿って流れ、加熱器６７３を通り、主出口６７５から出て、ヘヤードライヤのダクト６７８へ入り、流体出口６７９へ至るように流れる。第２の流体流路６８０は、ヘヤードライヤの上流端６７０ａにある第２の入口６８１からダクト６７８を通り、ヘヤードライヤ出口６７９へ至るように設けられる。流体は、流体を主入口６７４内へ、かつ主出口６７５へ引き込むファンユニット６７２の作用によって第２の流体流路６８０内へ同伴され、主流体出口６７５において主流れと混合され、又は組み合わされる。ダクト６７８を通り、出口６７９へ流れる流体は、主流れ及び同伴された流れが組み合わされたものである。
【００９１】
主流体出口６７５は、相対的に大きくかつ制約されない。第２の流体流路６８０内への同伴を促進するために、付属品６８５が設けられる。付属品６８５（図１０ｌ及び図１０ｍ）は、ヘヤードライヤ出口６７９内へ挿入され、かつ第１の端部又は上流端６８５ａと第２の端部又は下流端６８５ｂの間でほぼ管状の本体６８６を含む。コアンダ効果による同伴を促進するように、付属品６８５は、上流端６８５ａにコアンダ面６８７を含む。コアンダ面６８７は、付属品がヘヤードライヤ６７０へ挿入された場合（図１０ｊ及び図１０ｋ）、主流体出口６７５と流体連通され、かつ主流体流れが主流体出口６７５を出る時に、主流体がコアンダ面６８７に沿って進み、ノズル流体流路６８８内へ入りノズル出口６８９へ至るようにする。付属品６８５の下流端６８５ｂは、ヘヤードライヤの下流端６７０ｂから突出し、かつヘヤードライヤの下流端６７０ｂを覆う直立リップ６９０を含む。ノズル出口６８９は、円形状で、ヘヤードライヤ出口６７９よりも小さい直径を有する。
【００９２】
ここで図１０ｃから図１０ｇを参照すると、第２の付属品８５０が設けられる。この第２の付属品８５０は、高温整髪ノズルであり、ヘヤードライヤ６７０からの主流れのための出口を提供するのみである。
【００９３】
第２の付属品８５０は、管状の本体８５１を有し、本体は、第１の端部又は上流端８５０ａから第２の端部又は下流端８５０ｂへ至る付属品の縦軸線Ｇ−Ｇを形成する。上流端８５０ａに端壁８５２が設けられ、それは、ヘヤードライヤ６７０の第２の流体流路６８０を閉じるように設計される。流体入口８５３は、本体８５１内において端壁８５２の下流に設けられ、流体は、流体入口８５３から流体流路８５４に沿ってノズルの下流端８５０ｂにある流体出口８５５へ流通可能である。ノズル８５０は、ヘヤードライヤ６７０へ部分的に挿入可能に設計され、流体入口は、主流体出口６７５と流体連通されるようになっている。ノズルの挿入可能な部分は、ほぼ管状であり、かつ本体８５０の周りに、付属品が正しく挿入された時にヘヤードライヤの下流端６７０ｂへ当接するカラーの直立するリップ８５６が設けられる。リップ８５６の下流において、付属品の変化は、ほぼ円形状をほぼ矩形状に変化させて、ノズル出口８５５から集束した流れを供給する。
【００９４】
ヘヤードライヤ６７０へ取り付けられたノズル６８５の第１タイプのノズルがない場合、主流体流れは、第２の流体流路６８０を通る同伴された流れによって増強され、流体出口６７９からの合計流体出力は、主流れと同伴された流れの組合せた値になる。第２の付属品８５０は、ヘヤードライヤからの主流れのみを許して同伴された流れを阻止するので、ノズル出口８５５における流体出力のより低い速度の影響を被る可能性がある。しかし、ノズル８５５の上流端８５５ａは、ヘヤードライヤ６７０のダクト６７８に着座するように設計されるので、これは軽減され、従って、付属品８５０は、主出口６７５からの流れを制約しない。ノズル本体８５１の上流端は、湾曲した壁８５７を有するので、第２の付属品８５０を使用して得られる渦及び圧力損失は、最小にされる。この第２の付属品８５０は、増幅ギャップ又は主流体出口６７５を広げる効果を有する。
【００９５】
リップ又はカラー８５６、６９０は、ノズル又は付属品８５０、６８５がヘヤードライヤ出口６７９へ正確に挿入されたことユーザに知らせる効果のみならず、主流体出口６７５から外部のノズル又は付属品８５０、６８５へ流出する流体を密封する効果を有する。
【００９６】
ノズルは、フェルトシール、隆起止め具、Ｏリング、磁石、摩擦嵌め、機械式クリップ、スナップ装着、又は作動スナップ装着を含むがこれらに限定されないいくつかの代替物のうちの１つによってヘヤードライヤに対して保持される。
【００９７】
ヘヤードライヤは、好ましくは、ヘヤードライヤの少なくとも主流体流れ入口２２０を覆うフィルタ２２２（図２ｂ及び図２ｃ）を含む。フィルタ２２２は、ファン及びモータを含むファンユニット２５０の上流にある主流体流路２６０へほこり、ごみ、及び毛髪が進入するのを防止するように設けられる。これらの異物は、モータを損傷させてヘヤードライヤの早期故障を引き起こすことがある。フィルタ２２２は、ヘヤードライヤの取入口全体、すなわち、主流体流路２６０及び第２の流体流路２８０の両方を覆うことができるが、これは好ましくなく、その理由は、フィルタが電気器具を通る視線を妨げるからである。電気器具を通る視線は、電気器具上でノズルを使用することによって制約される。
【００９８】
本発明は、ヘヤードライヤのためのノズル及びノズルを含むヘヤードライヤに関して詳述されたが、それは、流体を引き込みかつ電気器具からのその流体の流出を誘導する全ての電気器具へ適用可能である。
【００９９】
電気器具は、加熱器と共に又は加熱器なしで使用可能であり、高速での流体の流出の作用は、乾燥効果を有する。
【０１００】
電気器具を通って流れる流体は、一般的に空気であるが、１つ又は複数の気体の異なる組合せとすることができ、かつ添加物を含むことができ、添加物は、電気器具の性能、又は出力が向けられる目的物、例えば、毛髪及びその毛髪の整髪に対して電気器具が有する効果を改善する。
【０１０１】
本発明は、上述の詳しい説明に限定されるものではない。変形は、当業者には明らかであろう。
【符号の説明】
【０１０２】
１００  ノズル
１００ａ  第１の端部又は上流端
１１０  本体
１２０  流体出口
１３０  流体入口
【図１ａ】
2014012143.tif 000003
【図１ｂ】
2014012143.tif 000004
【図１ｃ】
2014012143.tif 000005
【図１ｄ】
2014012143.tif 000006
【図１ｅ】
2014012143.tif 000007
【図１ｆ】
2014012143.tif 000008
【図２ａ】
2014012143.tif 000009
【図２ｂ】
2014012143.tif 000010
【図２ｃ】
2014012143.tif 000011
【図３ａ】
2014012143.tif 000012
【図３ｂ】
2014012143.tif 000013
【図３ｃ】
2014012143.tif 000014
【図３ｄ】
2014012143.tif 000015
【図４ａ】
2014012143.tif 000016
【図４ｂ】
2014012143.tif 000017
【図４ｃ】
2014012143.tif 000018
【図４ｄ】
2014012143.tif 000019
【図４ｅ】
2014012143.tif 000020
【図４ｆ】
2014012143.tif 000021
【図４ｇ】
2014012143.tif 000022
【図５ａ】
2014012143.tif 000023
【図５ｂ】
2014012143.tif 000024
【図５ｃ】
2014012143.tif 000025
【図５ｄ】
2014012143.tif 000026
【図５ｅ】
2014012143.tif 000027
【図６ａ】
2014012143.tif 000028
【図６ｂ】
2014012143.tif 000029
【図６ｃ】
2014012143.tif 000030
【図６ｄ】
2014012143.tif 000031
【図６ｅ】
2014012143.tif 000032
【図６ｆ】
2014012143.tif 000033
【図７ａ】
2014012143.tif 000034
【図７ｂ】
2014012143.tif 000035
【図７ｃ】
2014012143.tif 000036
【図８ａ】
2014012143.tif 000037
【図８ｂ】
2014012143.tif 000038
【図８ｃ】
2014012143.tif 000039
【図８ｄ】
2014012143.tif 000040
【図９ａ】
2014012143.tif 000041
【図９ｂ】
2014012143.tif 000042
【図９ｃ】
2014012143.tif 000043
【図９ｄ】
2014012143.tif 000044
【図１０ａ】
2014012143.tif 000045
【図１０ｂ】
2014012143.tif 000046
【図１０ｃ】
2014012143.tif 000047
【図１０ｄ】
2014012143.tif 000048
【図１０ｅ】
2014012143.tif 000049
【図１０ｆ】
2014012143.tif 000050
【図１０ｇ】
2014012143.tif 000051
【図１０ｈ】
2014012143.tif 000052
【図１０ｉ】
2014012143.tif 000053
【図１０ｊ】
2014012143.tif 000054
【図１０ｋ】
2014012143.tif 000055
【図１０ｌ】
2014012143.tif 000056
【図１０ｍ】
2014012143.tif 000057
【外国語明細書】
2014012143000001.pdf